(57)【要約】      （修正有）【課題】電気伝導度に優れ需給が円滑なタッチスクリーン用電極を用いたタッチパネルを提供する。【解決手段】基板２１０と、上記基板２１０にメッシュ状に形成された複数の導電体細線で構成された電極を含む。中央領域２４０は、縁領域２５０と比べ開口率を相対的に大きく設定し、上記縁領域２５０に近接して形成される可能性のあるベゼルによる段差によって導電体細線が断線する現象を防止する。【選択図】図７
2015049888.tif 000002
【特許請求の範囲】
【請求項１】
基板と、
前記基板に形成される複数の電極と、
を含み、
前記複数の電極はメッシュ状に形成される複数の導電体細線を含み、前記複数の導電体細線は前記基板の所定の複数の領域別に異なる開口率を有する、タッチパネル。
【請求項２】
前記複数の領域は中央領域及び縁領域を含み、
前記中央領域上の前記複数の導電体細線の開口率は前記縁領域上の前記複数の導電体細線の開口率より大きい、請求項１に記載のタッチパネル。
【請求項３】
前記縁領域の開口率は前記中央領域の開口率の２０％以上１００％未満である、請求項２に記載のタッチパネル。
【請求項４】
前記開口率は、前記複数の導電体細線のピッチ及び前記複数の導電体細線のそれぞれの線幅の少なくとも１つによって決まる、請求項１から３のいずれか一項に記載のタッチパネル。
【請求項５】
前記縁領域の前記複数の導電体細線のそれぞれの線幅は前記中央領域の前記複数の導電体細線のそれぞれの線幅の１００％超２５０％以下である、請求項２又は３に記載のタッチパネル。
【請求項６】
前記中央領域の前記複数の導電体細線のそれぞれの線幅は０．５μｍ以上６μｍ未満である、請求項５に記載のタッチパネル。
【請求項７】
前記縁領域の前記複数の導電体細線のそれぞれの線幅は１μｍ以上１０μｍ未満である、請求項５又は６に記載のタッチパネル。
【請求項８】
前記中央領域の前記複数の導電体細線のピッチは前記縁領域の前記複数の導電体細線のピッチの１００％超５００％未満である、請求項２、３又は５から７のいずれか一項に記載のタッチパネル。
【請求項９】
前記中央領域の前記複数の導電体細線のピッチは２０μｍ以上５００μｍ未満である、請求項８に記載のタッチパネル。
【請求項１０】
前記縁領域の前記複数の導電体細線のピッチは４０μｍ以上１０００μｍ未満である、請求項８又は９に記載のタッチパネル。
【請求項１１】
前記縁領域の面積は前記中央領域の面積の５％以上９５％未満である、請求項２、３又は５から１０のいずれか一項に記載のタッチパネル。
【請求項１２】
前記縁領域は第１の縁領域及び第２の縁領域を含み、前記第１の縁領域は前記基板の４つの辺のうち３つの辺に所定の面積を有する領域であり、前記第２の縁領域は前記基板の４つの辺のうち残りの１つの辺に所定の面積を有する領域であり、前記第１の縁領域の開口率は前記第２の縁領域の開口率より大きい、請求項２、３又は５から１１のいずれか一項に記載のタッチパネル。
【請求項１３】
前記第２の縁領域は、前記複数の電極から感知信号を獲得するコントローラー集積回路から前記第１の縁領域よりも物理的に離れて形成される、請求項１２に記載のタッチパネル。
【請求項１４】
前記複数の導電体細線は、Ａｇ、Ａｌ、Ｃｒ、Ｎｉ、Ｍｏ、Ｃｕのいずれか１つの金属又はＡｇ、Ａｌ、Ｃｒ、Ｎｉ、Ｍｏ、Ｃｕの少なくとも２つを含む合金で形成される、請求項１から１３のいずれか一項に記載のタッチパネル。
【請求項１５】
前記基板は、ＰＥＴ（Ｐｏｌｙｅｔｈｙｌｅｎｅ  ｔｅｒｅｐｈｔｈａｌａｔｅ）、ＰＣ（ｐｏｌｙｃａｒｂｏｎａｔｅ）、ＰＥＳ（ｐｏｌｙｅｔｈｅｒｓｕｌｆｏｎｅ）、ＰＩ（ｐｏｌｙｉｍｉｄｅ）、ＰＭＭＡ（ＰｏｌｙｍｅｔｈｌｙｍｅｔｈＡｃｒｙｌａｔｅ）、ＣＯＰ（Ｃｙｃｌｏ‐Ｏｌｅｆｉｎ  Ｐｏｌｙｍｅｒｓ）、ソーダガラス（Ｓｏｄａ  ｇｌａｓｓ）、及び強化ガラス（ｔｅｍｐｅｒｅｄ  ｇｌａｓｓ）の少なくとも１つによって形成される、請求項１から１４のいずれか一項に記載のタッチパネル。
【請求項１６】
前記開口率は、前記複数の導電体細線のピッチ及び前記複数の導電体細線のそれぞれの線幅に対して下記の数学式を満たす、請求項１から１５のいずれか一項に記載のタッチパネル。
【数１】
2015049888.tif 000005
（ｔｏ：開口率、Ｔ：ピッチ、ｄ：線幅）
【請求項１７】
前記複数の電極は、第１の軸方向に伸びる複数の第１の電極と、前記第１の軸方向と交差する第２の軸方向に伸びる複数の第２の電極と、を含む、請求項１から１６のいずれか一項に記載のタッチパネル。
【請求項１８】
前記複数の第１の電極及び前記複数の第２の電極は、前記基板の同じ面又は異なる面に形成される、請求項１７に記載のタッチパネル。
【請求項１９】
基板と、
前記基板に形成される複数の電極と、
を含み、
前記複数の電極はメッシュ状の導電体細線で形成され、前記導電体細線は前記基板の縁から中心に向かって開口率が増加する、タッチパネル。
【請求項２０】
前記メッシュ状の導電体細線で形成される前記複数の電極の開口率は１０％以上９９％未満の範囲で変動される、請求項１９に記載のタッチパネル。
【請求項２１】
前記導電体細線の線幅は０．５μｍ以上１０μｍ未満の範囲で変動される、請求項１９又は２０に記載のタッチパネル。
【請求項２２】
前記導電体細線のピッチは２０μｍ以上１０００μｍ未満の範囲で変動される、請求項１９から２１のいずれか一項に記載のタッチパネル。
【請求項２３】
複数の前記導電体細線は、Ａｇ、Ａｌ、Ｃｒ、Ｎｉ、Ｍｏ、Ｃｕのいずれか１つの金属又はＡｇ、Ａｌ、Ｃｒ、Ｎｉ、Ｍｏ、Ｃｕの少なくとも２つを含む合金で形成される、請求項１９から２２のいずれか一項に記載のタッチパネル。
【発明の詳細な説明】
【技術分野】
【０００１】
本発明は、タッチパネルに関する。
【背景技術】
【０００２】
タッチスクリーン、タッチパッド等のような接触感知装置は、ディスプレイ装置に付着されてユーザーに直感的な入力方法を提供することができる入力装置であり、最近では、携帯電話、ＰＤＡ（Ｐｅｒｓｏｎａｌ  Ｄｉｇｉｔａｌ  Ａｓｓｉｓｔａｎｔ）、ナビゲーション等のような多様な電子機器に広く適用されている。特に、スマートフォンへの需要が増加するにつれ、制限されたフォームファクタで多様な入力方法を提供することができるタッチスクリーンの採用率が増加し続けている。
【０００３】
携帯用機器に適用されるタッチスクリーンは、タッチ入力を感知する方法によって大きく抵抗膜方式と静電容量方式に分けられる。この中で、静電容量方式は、相対的に寿命が長くて多様な入力方法とジェスチャーを容易に具現できるという長所によって、その適用率が高まり続けている。特に、静電容量方式は、抵抗膜方式と比べてマルチタッチインターフェースを具現するのが容易であるため、スマートフォン等の機器に幅広く適用される。
【０００４】
静電容量方式のタッチスクリーンは、一定のパターンを有する複数の電極を含み、タッチ入力によって静電容量の変化が生成される複数のノードが上記複数の電極によって定義される。２次元平面に分布する複数のノードはタッチ入力によって自己静電容量（Ｓｅｌｆ‐Ｃａｐａｃｉｔａｎｃｅ）又は結合静電容量（Ｍｕｔｕａｌ‐Ｃａｐａｃｉｔａｎｃｅ）の変化を生成し、複数のノードで生成される静電容量の変化に加重平均計算法などを適用してタッチ入力の座標を計算することができる。
【０００５】
従来のタッチパネルでは、タッチを認識するセンシング電極を、通常、ＩＴＯ（Ｉｎｄｉｕｍ  Ｔｉｎ  Ｏｘｉｄｅ；インジウム‐スズ酸化物）で形成した。しかしながら、ＩＴＯの場合、原料であるインジウム（Ｉｎｄｉｕｍ）が希土類金属で高価であるため価格競争力が落ちる上、１０年内に枯渇すると予想されるため需給が円滑ではないという問題がある。上記のような理由で不透明な導電体細線を用いて電極を形成しようとする研究が行われており、導電体細線で形成される電極はＩＴＯや伝導性高分子と比べて電気伝導度に優れ需給が円滑であるという長所がある。但し、導電体細線をタッチスクリーン用電極として用いるためには、透明性と不可視性を高くし、端子抵抗を抑制しなければならない。
【０００６】
下記の特許文献１は、静電容量方式のタッチスクリーンにおいて縁部の出力座標の補強のために当該縁部のセンサー電極の面積を増加させて距離を縮小させる内容を開示しているが、これはＩＴＯを用いた電極を構成したものであり、導電体細線を用いて電極を具現する内容及び中央領域と縁領域の導電体細線の開口率を異ならせる内容は開示していない。
【先行技術文献】
【特許文献】
【０００７】
【特許文献１】韓国公開特許第１０‐２０１３‐００４４４３２号公報
【発明の概要】
【発明が解決しようとする課題】
【０００８】
本発明は、前述した従来技術の問題を解決するためのものであり、中央領域と縁領域のメッシュ状の導電体細線の開口率を異ならせるタッチパネルを提供することを目的とする。
【課題を解決するための手段】
【０００９】
本発明の第１の技術的側面によれば、基板と、上記基板に形成される複数の電極と、を含み、上記複数の電極はメッシュ状に形成される複数の導電体細線で構成され、上記複数の導電体細線は上記基板の所定の複数の領域別に異なる開口率を有するタッチパネルが提供される。
【００１０】
上記複数の領域は中央領域及び縁領域を含み、上記中央領域上の上記導電体細線の開口率は上記縁領域上の上記導電体細線の開口率より大きくても良い。
【００１１】
上記縁領域の開口率は、上記中央領域の開口率の２０％以上１００％未満であっても良い。
【００１２】
上記開口率は、上記導電体細線のピッチ及び線幅の少なくとも１つによって決まることができる。
【００１３】
上記縁領域の上記導電体細線の線幅は上記中央領域の上記導電体細線の線幅の１００％超２５０％以下であっても良い。
【００１４】
上記中央領域の上記導電体細線の線幅は０．５μｍ以上６μｍ未満であっても良い。
【００１５】
上記縁領域の上記導電体細線の線幅は１μｍ以上１０μｍ未満であっても良い。
【００１６】
上記中央領域の上記導電体細線のピッチは上記縁領域の上記導電体細線のピッチの１００％超５００％未満であっても良い。
【００１７】
上記中央領域の上記導電体細線のピッチは２０μｍ以上５００μｍ未満であっても良い。
【００１８】
上記縁領域の上記導電体細線のピッチは４０μｍ以上１０００μｍ未満であっても良い。
【００１９】
上記縁領域の面積は上記中央領域の面積の５％以上９５％未満であっても良い。
【００２０】
上記縁領域は第１の縁領域及び第２の縁領域を含み、上記第１の縁領域は上記基板の４つの辺のうち３つの辺に所定の面積を有する領域であり、上記第２の縁領域は上記基板の４つの辺のうち残りの１つの辺に所定の面積を有する領域であり、上記第１の縁領域の開口率は上記第２の縁領域の開口率より大きくても良い。
【００２１】
上記第２の縁領域は、上記複数の電極から感知信号を獲得するコントローラー集積回路から上記第１の縁領域よりも物理的に遠く離れて形成されることができる。
【００２２】
上記複数の導電体細線は、Ａｇ、Ａｌ、Ｃｒ、Ｎｉ、Ｍｏ、Ｃｕのいずれか１つの金属又はＡｇ、Ａｌ、Ｃｒ、Ｎｉ、Ｍｏ、Ｃｕの少なくとも２つを含む合金で形成されることができる。
【００２３】
上記基板は、ＰＥＴ（Ｐｏｌｙｅｔｈｙｌｅｎｅ  ｔｅｒｅｐｈｔｈａｌａｔｅ）、ＰＣ（ｐｏｌｙｃａｒｂｏｎａｔｅ）、ＰＥＳ（ｐｏｌｙｅｔｈｅｒｓｕｌｆｏｎｅ）、ＰＩ（ｐｏｌｙｉｍｉｄｅ）、ＰＭＭＡ（ＰｏｌｙｍｅｔｈｌｙｍｅｔｈＡｃｒｙｌａｔｅ）、ＣＯＰ（Ｃｙｃｌｏ‐Ｏｌｅｆｉｎ  Ｐｏｌｙｍｅｒｓ）、ソーダガラス（Ｓｏｄａ  ｇｌａｓｓ）、及び強化ガラス（ｔｅｍｐｅｒｅｄ  ｇｌａｓｓ）の少なくとも１つによって形成されることができる。
【００２４】
上記開口率は、上記導電体細線のピッチ及び線幅に対して下記の数学式を満たすことができる。
【００２５】
【数１】
2015049888.tif 000003
（ｔｏ：開口率、Ｔ：ピッチ、ｄ：線幅）
【００２６】
上記複数の電極は、第１の軸方向に伸びる複数の第１の電極と、上記第１の軸方向と交差する第２の軸方向に伸びる複数の第２の電極と、を含むことができる。
【００２７】
上記複数の第１、第２の電極は、上記基板の同じ面又は異なる面に形成されることができる。
【００２８】
本発明の第２の技術的側面によれば、基板と、上記基板に形成される複数の電極と、を含み、上記複数の電極はメッシュ状の導電体細線で形成され、上記導電体細線は上記基板の縁から中心に向かって開口率が増加するタッチパネルが提供される。
【００２９】
上記メッシュ状の導電体細線で形成される上記複数の電極の開口率は１０％以上９９％未満の範囲で変動されることができる。
【００３０】
上記導電体細線の線幅は０．５μｍ以上１０μｍ未満の範囲で変動されることができる。
【００３１】
上記導電体細線のピッチは２０μｍ以上１０００μｍ未満の範囲で変動されることができる。
【００３２】
上記複数の導電体細線は、Ａｇ、Ａｌ、Ｃｒ、Ｎｉ、Ｍｏ、Ｃｕのいずれか１つの金属又はＡｇ、Ａｌ、Ｃｒ、Ｎｉ、Ｍｏ、Ｃｕの少なくとも２つを含む合金で形成されることができる。
【図面の簡単な説明】
【００３３】
【図１】本発明の一実施例によるタッチパネルを含む電子機器の外観を示した斜視図である。
【図２】本発明の一実施例によるタッチパネルを概略的に示した図である。
【図３】本発明の一実施例によるタッチパネルを概略的に示した図である。
【図４】本発明の一実施例によるタッチパネルをより具体的に示した図である。
【図５】本発明の一実施例によるタッチパネルをより具体的に示した図である。
【図６】本発明の一実施例による導電体細線の一部拡大図である。
【図７】本発明の一実施例によるタッチパネルを示した図である。
【図８】本発明の他の実施例によるタッチパネルを示した図である。
【発明を実施するための形態】
【００３４】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがある。
【００３５】
図１は、本発明の一実施例によるタッチパネルを含む電子機器の外観を示した斜視図である。
【００３６】
図１を参照すると、本実施例による電子機器１００は、画面を出力するためのディスプレイ装置１１０、入力部１２０、音声出力のためのオーディオ部１３０などを含み、ディスプレイ装置１１０と一体化して形成されるタッチスクリーン装置を備え、タッチスクリーン装置内にタッチパネルが含まれることができる。
【００３７】
図１に示されているように、モバイル機器の場合、タッチスクリーン装置は、通常、ディスプレイ装置に一体的に備えられ、ディスプレイ装置の表示する画面が透過することができる程度に高い光透過率を有しなければならない。したがって、タッチスクリーン装置は、ＰＥＴ（Ｐｏｌｙｅｔｈｙｌｅｎｅ  ｔｅｒｅｐｈｔｈａｌａｔｅ）、ＰＣ（ｐｏｌｙｃａｒｂｏｎａｔｅ）、ＰＥＳ（ｐｏｌｙｅｔｈｅｒｓｕｌｆｏｎｅ）、ＰＩ（ｐｏｌｙｉｍｉｄｅ）、ＰＭＭＡ（ＰｏｌｙｍｅｔｈｌｙｍｅｔｈＡｃｒｙｌａｔｅ）、ＣＯＰ（Ｃｙｃｌｏ‐Ｏｌｅｆｉｎ  Ｐｏｌｙｍｅｒｓ）等のフィルム、ソーダガラス（Ｓｏｄａ  ｇｌａｓｓ）、又は強化ガラス（ｔｅｍｐｅｒｅｄ  ｇｌａｓｓ）のような材質の透明な基板に電気伝導性を有する物質で電極を形成することにより具現されることができる。ディスプレイ装置のベゼル領域には透明伝導性物質で形成された電極と連結される配線パターンが配置され、配線パターンはベゼル領域によって視覚的に遮蔽される。
【００３８】
タッチスクリーン装置は、静電容量方式で動作することを仮定するため、所定のパターンを有する複数の電極を含むことができる。また、複数の電極で生成される静電容量の変化を検出するための静電容量感知回路、静電容量感知回路の出力信号をデジタル値に変換するアナログ‐デジタル変換回路、デジタル値に変換されたデータを用いてタッチ入力を判断する演算回路などを含むことができる。
【００３９】
図２及び図３は、本発明の一実施例によるタッチパネルを概略的に示した図である。図２及び図３を参照すると、本実施例によるタッチパネル２００は、基板２１０、基板２１０に設けられる複数の電極２２０、２３０を含む。図２には示されていないが、複数の電極２２０、２３０それぞれは、配線及びボンディングパッドを介して基板２１０の一端に付着される回路基板の配線パターンと電気的に連結されることができる。回路基板にコントローラー集積回路が実装されることにより、複数の電極２２０、２３０で生成される感知信号を検出し、それからタッチ入力を判断することができる。
【００４０】
タッチスクリーン装置の場合、基板２１０は、複数の電極２２０、２３０が形成されるための透明な基板であることができる。基板２１０のうち、複数の電極２２０、２３０が形成される領域以外に、複数の電極２２０、２３０と連結される配線が設けられる領域には、通常、不透明な金属物質で形成される配線を視覚的に遮蔽するための所定の印刷領域が形成されることができる。
【００４１】
複数の電極２２０、２３０は、基板２１０の一面又は両面に設けられ、図２にはひし形又はダイヤモンド形のパターンを有する複数の電極２２０、２３０が示されているが、他にも、長方形、三角形、円形等の形に形成されることもできる。但し、以下では、説明の便宜のために、複数の電極２２０、２３０がひし形に形成された場合を中心に説明する。
【００４２】
複数の電極２２０、２３０は、Ｘ軸方向に伸びる第１の電極２２０と、Ｙ軸方向に伸びる第２の電極２３０と、を含む。第１の電極２２０と第２の電極２３０は基板２１０の両面に設けられるか又は別々の基板２１０に設けられて交差しても良く、第１の電極２２０と第２の電極２３０が基板２１０の一面にすべて設けられる場合は第１の電極２２０と第２の電極２３０との交差地点に部分的に所定の絶縁層を形成しても良い。
【００４３】
複数の電極２２０、２３０と電気的に連結されてタッチ入力を感知するコントローラー集積回路は、タッチ入力によって複数の電極２２０、２３０で生成される静電容量の変化を検出し、それからタッチ入力を感知する。第１の電極２２０はコントローラー集積回路においてＤ１〜Ｄ８と定義されるチャンネルに連結されて所定の駆動信号を印加され、チャンネルＳ１〜Ｓ８はコントローラー集積回路が感知信号を検出するのに用いられることができる。この際、コントローラー集積回路は、第１の電極２２０と第２の電極２３０との間で生成される静電容量の変化を獲得して感知信号として用いることができる。
【００４４】
接触物体がタッチ入力の印加されるカバーレンズ上に又は近接領域に存在する場合、第１の電極２２０と第２の電極２３０との間で静電容量の変化が発生することがある。第１の電極２２０及び第２の電極２３０は伝導性物質であり、第１の電極２２０に所定の電圧が加わると、第１の電極２２０と第２の電極２３０との間に磁場が形成され、接触物体による磁場の変化が静電容量の変化につながる。
【００４５】
図４及び図５は、本発明の一実施例によるタッチパネルをより具体的に示した図である。複数の電極２２０、２３０は、複数の導電体細線からなることができる。複数の電極２２０、２３０を形成する導電体細線はＡｇ、Ａｌ、Ｃｒ、Ｎｉ、Ｍｏ、Ｃｕのいずれか１つ又はこれらの合金で製造され、複数の電極２２０、２３０は金属で製造されることにより、電極の抵抗値が減少し、これにより、伝導性及び検出感度が向上することができる。
【００４６】
導電体細線は、網状又はメッシュ状に形成されることができる。導電体細線が網状又はメッシュ状に形成されることにより、従来のパターン電極の存在する領域にパターニングの跡が示されていた現象を減少させ、タッチパネルの透過性を向上させることができる。複数の電極２２０、２３０の導電体細線は、図４及び図５にはひし形又は四角形で示されているが、これに限定されず、六角形、八角形、ダイヤモンド形及び無定形（ｒａｎｄｏｍ）等の多様な形状であっても良い。
【００４７】
図６は、本発明の一実施例による導電体細線の一部拡大図である。複数の電極を構成する導電体細線の開口率はピッチ（ｐｉｔｃｈ）Ｔ及び線幅ｄで定義されることができ、ピッチＴが大きくて線幅ｄが小さいほど、開口率が増加する。開口の形状が正方形の場合、開口率ｔｏは、ピッチＴ及び線幅ｄと下記の数学式１のような関係がある。なお、開口の形状がひし形、長方形又は平行四辺形でも同様に、ピッチＴ及び線幅ｄを用いて開口率ｔｏを算出できる。
【００４８】
【数１】
2015049888.tif 000004
【００４９】
図７は、本発明の一実施例によるタッチパネルを示した図である。図７中、中央領域２４０と縁領域２５０はタッチパネルの活性（ａｃｔｉｖｅ）領域（タッチ入力の印加される領域）を分割する領域であり、中央領域２４０と縁領域２５０に形成される導電体細線の開口率は異なっても良い。
【００５０】
タッチスクリーン装置において、タッチパネルの中央領域２４０は、ディスプレイ画面が重点的に出力されタッチが集中的に入力される領域であり、縁領域２５０と比べ、タッチパネルの透明性と導電体細線の不可視性をより高くするために開口率を相対的に大きく設定する。また、縁領域２５０の開口率をより低く設定して抵抗を低くすることにより、縁領域２５０に近接して形成される可能性のあるベゼルによる段差によって導電体細線が断線する現象を防止することができる。
【００５１】
この際、縁領域２５０の開口率は、中央領域２４０の開口率に対して２０％以上１００％未満であっても良い。より具体的には、ピッチが同じ場合、縁領域２５０の線幅は、中央領域２４０の線幅の１００％超２５０％未満であっても良い。中央領域２４０の線幅を０．５μｍ以上６μｍ未満に設定すると、縁領域２５０の線幅は最小１μｍ、最大１０μｍ未満に設定することができる。
【００５２】
線幅が同じ場合、縁領域２５０のピッチは、中央領域２４０のピッチの１００％超５００％未満であっても良い。中央領域２４０のピッチを２０μｍ以上５００μｍ未満に設定すると、縁領域２５０のピッチは最小４０μｍ、最大１０００μｍ未満に設定することができる。
【００５３】
なお、線幅とピッチを同時に異ならせて開口率を異ならせることもできる。
【００５４】
一方、中央領域２４０と縁領域２５０の面積は設定によって変更可能である。一例として、縁領域２５０は、中央領域２４０と比べて５％以上９５％未満の面積を有することができる。
【００５５】
図７には基板２１０の活性領域を中央領域２４０と縁領域２５０の２つの領域に分けることが示されているが、本発明はこれに限定されるものではない。即ち、基板の中心点との距離に応じて段階的に所定の面積を有するように基板を複数の領域に分割して複数の領域別に異なる開口率を有するように設定することができる。この際、中心点との距離が近い領域は、遠い領域より大きい開口率を有するように設定することができる。
【００５６】
また、基板２１０の縁から中心に向かって開口率を大きく設定することもできる。この際、開口率は１０％以上９９％未満の範囲で変動され、線幅は０．５μｍ以上１０μｍ未満、ピッチは２０μｍ以上１０００μｍ未満の範囲で変動されることができる。
【００５７】
図８は、本発明の他の実施例によるタッチパネルを示した図である。以下では、図８の実施例によるタッチパネルのうち図７のタッチパネルと同じ部分についての説明は省略し、相違点を中心に説明する。
【００５８】
図８を参照すると、図７の縁領域２５０が第１の縁領域２５３及び第２の縁領域２５６に分離されたことが確認できる。第１の縁領域２５３は、図７の縁領域２５０と同一に設定されることができる。
【００５９】
第２の縁領域２５６は、複数の電極２２０、２３０から感知信号を検出するコントローラー集積回路から第１の縁領域２５３と比較して、相対的に遠く離れた部分を模式化して示したものである。図８を参照すると、コントローラー集積回路が基板２１０の北側の方向に配置されている。なお、第２の縁領域２５６とコントローラー集積回路との距離は、第１の縁領域２５３とコントローラー集積回路との距離よりも大きい。
【００６０】
複数の電極２２０、２３０をなす導電体細線の抵抗値はコントローラー集積回路との距離が遠いほど増加するが、本実施例によれば、第２の縁領域２５６の開口率を第１の縁領域２５３の開口率より低く設定することにより抵抗値を低くすることができる。より具体的には、線幅を厚くするか、ピッチを小さくするか、又は線幅とピッチの両方ともを変更することにより、第２の縁領域２５６の抵抗値を低くすることができる。
【００６１】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有する者には明らかである。
【符号の説明】
【００６２】
２１０  基板
２２０  第１の電極
２３０  第２の電極
２４０  中央領域
２５０  縁領域
２５３  第１の縁領域
２５６  第２の縁領域
【図１】
2015049888.tif 000006
【図２】
2015049888.tif 000007
【図３】
2015049888.tif 000008
【図４】
2015049888.tif 000009
【図５】
2015049888.tif 000010
【図６】
2015049888.tif 000011
【図７】
2015049888.tif 000012
【図８】
2015049888.tif 000013